(57)【要約】【課題】３次元画像から２次元画像を作成する際に、ユーザの作業負荷を軽減できるようにする。【解決手段】３次元画像と文章から構成される３次元データから、前記３次元画像の２次元画像を作成する際に、前記３次元画像に関係する文から２次元画像における視点決定に係る単語に応じて前記視点を決定し、前記決定した視点と、前記３次元画像とを用いて前記２次元画像を作成することにより、視点情報を自動で算出する。【選択図】図２
2012027561.tif 000002
【特許請求の範囲】
【請求項１】
３次元画像と文章から構成される３次元データから、前記３次元画像の２次元画像を作成する画像作成装置であって、
前記３次元画像に関係する文から２次元画像における視点決定に係る単語に応じて前記視点を決定し、前記決定した視点と、前記３次元画像とを用いて前記２次元画像を作成することを特徴とする画像作成装置。
【請求項２】
３次元画像と文章から構成される３次元データから、前記３次元画像の２次元画像を作成する画像作成装置であって、
前記３次元画像に関係する文を前記３次元データから抽出する文抽出手段と、
前記文抽出手段により抽出された文から、前記２次元画像の視点決定に関係する単語を抽出する単語抽出手段と、
前記単語抽出手段により抽出された単語と、単語に応じて視点を決める視点決定規則とに基づいて、前記視点を決定する視点決定手段と、
前記視点決定手段により決定された視点と、前記３次元画像とを用いて前記２次元画像を作成する画像作成手段とを備えることを特徴とする画像作成装置。
【請求項３】
前記画像作成手段により作成する画像に関する画像領域を取得する画像領域取得手段と、
前記単語抽出手段により抽出された単語の重要度を判定する単語重要度判定手段とを備え、
前記視点決定手段は、前記画像領域ごとに、前記重要度判定手段の判定結果に基づいて視点を決定することを特徴とする請求項２に記載の画像作成装置。
【請求項４】
前記視点決定規則を、複数の単語を包含するグループ毎に、視点が決まるように定義し、
前記単語抽出手段により抽出された単語を、前記グループのいずれに属するかを判定する所属グループ判定手段を備え、
前記視点決定手段は、前記所属グループ判定手段で判定された所属グループと、前記視点決定規則に基づいて、視点を決定することを特徴とする請求項２に記載の画像作成装置。
【請求項５】
請求項１〜４の何れか１項に記載の画像作成装置で作成された画像と、前記画像に関する文を含む文章とを合成してデータを作成することを特徴とするデータ作成装置。
【請求項６】
３次元画像と文章から構成される３次元データから、前記３次元画像の２次元画像を作成する画像作成方法であって、
前記３次元画像に関係する文から２次元画像における視点決定に係る単語に応じて前記視点を決定し、前記決定した視点と、前記３次元画像とを用いて前記２次元画像を作成することを特徴とする画像作成方法。
【請求項７】
３次元画像と文章から構成される３次元データから、前記３次元画像の２次元画像を作成する画像作成方法であって、
前記３次元画像に関係する文を前記３次元データから抽出する文抽出工程と、
前記文抽出工程において抽出された文から、前記２次元画像の視点決定に関係する単語を抽出する単語抽出工程と、
前記単語抽出工程において抽出された単語と、単語に応じて視点を決める視点決定規則とに基づいて、前記視点を決定する視点決定工程と、
前記視点決定工程において決定された視点と、前記３次元画像とを用いて前記２次元画像を作成する画像作成工程とを備えることを特徴とする画像作成方法。
【請求項８】
前記画像作成工程において作成する画像に関する画像領域を取得する画像領域取得工程と、
前記単語抽出工程において抽出された単語の重要度を判定する単語重要度判定工程とを備え、
前記視点決定工程は、前記画像領域ごとに、前記重要度判定工程の判定結果に基づいて視点を決定することを特徴とする請求項７に記載の画像作成方法。
【請求項９】
前記視点決定規則を、複数の単語を包含するグループ毎に、視点が決まるように定義し、
前記単語抽出工程において抽出された単語を、前記グループのいずれに属するかを判定する所属グループ判定工程を備え、
前記視点決定工程は、前記所属グループ判定工程で判定された所属グループと、前記視点決定規則に基づいて、視点を決定することを特徴とする請求項７に記載の画像作成方法。
【請求項１０】
請求項６〜９の何れか１項に記載の画像作成方法で作成された画像と、前記画像に関する文を含む文章とを合成してデータを作成することを特徴とするデータ作成方法。
【請求項１１】
３次元画像と文章から構成される３次元データから、前記３次元画像の２次元画像を作成する画像作成方法の各工程をコンピュータに実行させるプログラムであって、
前記３次元画像に関係する文から２次元画像における視点決定に係る単語に応じて前記視点を決定し、前記決定した視点と、前記３次元画像とを用いて前記２次元画像を作成する工程をコンピュータに実行させることを特徴とするプログラム。
【請求項１２】
３次元画像と文章から構成される３次元データから、前記３次元画像の２次元画像を作成する画像作成方法の各工程をコンピュータに実行させるプログラムであって、
前記３次元画像に関係する文を前記３次元データから抽出する文抽出工程と、
前記文抽出工程において抽出された文から、前記２次元画像の視点決定に関係する単語を抽出する単語抽出工程と、
前記単語抽出工程において抽出された単語と、単語に応じて視点を決める視点決定規則とに基づいて、前記視点を決定する視点決定工程と、
前記視点決定工程において決定された視点と、前記３次元画像とを用いて前記２次元画像を作成する画像作成工程とをコンピュータに実行させることを特徴とするプログラム。
【請求項１３】
請求項１１または１２に記載のプログラムを記憶したことを特徴とするコンピュータ読み取り可能な記憶媒体。
【発明の詳細な説明】
【技術分野】
【０００１】
本発明は画像作成装置及びデータ作成装置に関し、特に、３次元画像と文章から構成されるデータにおいて、文章を利用して３次元画像から２次元画像を作成する技術に関する。
【背景技術】
【０００２】
近年、３次元画像を表示する表示機器が実用化され始めており、３次元画像の利用が一般的になることが予想される。一方、利用者にとっては、出力先や表示先の媒体によっては、３次元画像をある視点から見た２次元画像の形式として、利用したいこともある。これに対し、３次元画像から適切な２次元画像を作成する技術が提案されている。特許文献１、特許文献２がこれに関する先行技術である。
【０００３】
特許文献１では、複数の仮想視点を設定できる画像オブジェクトと、オブジェクトの空間的姿勢情報等の指定情報から、画像オブジェクトを電子的に解析し、２次元画像を生成する。特許文献２では、ＣＡＤで利用されている３次元モデルから、図面を作成する際の手作業を記憶することで、１つの３次元モデルから複数の用途に応じた図面を作成する。
【先行技術文献】
【特許文献】
【０００４】
【特許文献１】特開２００４−１５１９７９号公報
【特許文献２】特開平６−２９０２３７号公報
【発明の概要】
【発明が解決しようとする課題】
【０００５】
前述の先行技術では、３次元画像における任意の視点位置や方向等を指定し、２次元画像を作成するようにしている。この視点情報を、ユーザが作成画像毎に入力する必要がある。よって、ユーザの作業負荷が大きいという課題がある。
本発明は前述の問題点に鑑み、３次元画像から２次元画像を作成する際に、ユーザの作業負荷を軽減できるようにすることを目的とする。
【課題を解決するための手段】
【０００６】
本発明の画像作成装置は、３次元画像と文章から構成される３次元データから、前記３次元画像の２次元画像を作成する画像作成装置であって、前記３次元画像に関係する文章から２次元画像における視点決定に係る単語に応じて前記２次元画像の視点を決定し、前記決定した視点と、前記３次元画像とを用いて前記２次元画像を作成することを特徴とする。
【発明の効果】
【０００７】
本発明によれば、画像に関係する文章を利用し、２次元画像を作成する時に必要となる視点情報を自動で生成するようにした。これにより、画像を作成する毎に視点情報をユーザが入力する作業が不要になり、３次元画像から２次元画像を作成する際にユーザの作業負荷を軽減できる。
【図面の簡単な説明】
【０００８】
【図１】本発明の実施形態を示し、２次元データ作成システムのブロック図である。
【図２】２次元データ作成システムの機能構成例を示すブロック図である。
【図３】第１の実施形態の２次元データ作成システムの処理フローチャートである。
【図４】第１の実施形態の２次元データの概略を示す図である。
【図５】第１の実施形態の視点決定規則が参照する情報の概略図である。
【図６】２次元データ作成システムの操作画面の概略を示す図である。
【図７】第３の実施形態の視点決定規則が参照する情報の概略図である。
【図８】レイアウトデータの概略を示す図である。
【図９】第２の実施形態の２次元データ作成システムの処理フローチャートである。
【図１０】第２の実施形態における単語の重要度判定処理の第１の例の概略図である。
【図１１】第２の実施形態における単語の重要度判定処理の第２の例の概略図である。
【図１２】第２の実施形態の２次元データ作成システムの機能構成図である。
【図１３】第３の実施形態の２次元データ作成システムの処理フローチャートである。
【発明を実施するための形態】
【０００９】
（第１の実施形態）
本実施形態では、３次元画像と、画像に関する文章を含む３次元データから、２次元画像を含む２次元データを作成する２次元データ作成システムに、本発明の画像作成装置を利用した場合について説明する。しかし、本発明は、この実施形態に限定されるものではない。
【００１０】
図１に、本実施形態の２次元データ作成システムのハードウェア構成の一例を示す。図１において、ＣＰＵ１０１（Central Processing Unit）は、ＲＯＭ１０２（Read Only Memory）及び／又はＨＤＤ１０３（Hard Disk Drive）に格納された制御プログラムを実行し、各デバイスを制御する。ＲＯＭ１０２は、各種の制御プログラムやデータを保持する。
【００１１】
ＲＡＭ１０４（Random Access Memory）は、ＣＰＵ１０１のワーク領域、エラー処理時のデータの退避領域、制御プログラムのロード領域等を有する。ＨＤＤ１０３は、各種制御プログラムや各種データを保存する。入力・表示装置１０５は、ユーザからの入力を受け付ける。また、２次元データ作成システムの画面を表示する。
【００１２】
ＣＰＵバス１０６は、アドレスバス、データバス及びコントロールバスを含む。
制御プログラムは、ＲＯＭ１０２又はＨＤＤ１０３に予め記憶されていてもよいし、通信路を介して他の情報装置等からＲＯＭ１０２又はＨＤＤ１０３に記憶されてもよい。ＣＰＵ１０１が、ＲＯＭ１０２又はＨＤＤ１０３等に記憶されているプログラムに基づき、処理を実行することにより、後述する２次元データ作成システムの機能、又は後述するフローチャートに係る処理が実現される。
【００１３】
図２に、本実施形態の２次元データ作成システムの機能構成図を示す。文抽出部２０５、単語抽出部２０６、視点決定部２０８、画像作成部２０９等により本実施形態の画像作成装置を構成している。
【００１４】
情報記憶部２０１は、ＨＤＤ１０３に存在し、３次元画像データと、該３次元画像に関する文章とを含む３次元データを１つ以上記憶している。例えば３次元画像データとは、画像を閲覧する仮想視点を設定することにより、仮想視点から見た２次元画像を作成できるデータである。
【００１５】
分離部２０２は、情報記憶部２０１に記憶されている３次元データを、３次元画像データと文章データに分離する。画像入力部２０３は、分離部２０２で分離された３次元画像データを取り込む。文章入力部２０４は、分離部２０２で分離された文章、及びその文章の画像との関連情報を取り込む。例えば、画像との関連情報とは、画像の題目や注釈に利用されている文であるといった情報や、表示もしくは印刷時における文と画像との位置関係等の情報がある。また、文字に関する大きさ、太さ、色、下線、網掛け等の情報が含まれているのであれば、これらの情報も取得しておく。
【００１６】
文抽出部２０５は、文章入力部２０４で取り込まれた文章データから３次元画像について説明している文を抽出する。例えば、画像の題目、注釈に利用されている文を抽出する。または、３次元画像の近傍に配置されている文を抽出する。単語抽出部２０６は、文抽出部２０５で抽出された文を単語に分解する。例えば、分解する方法として一般的な形態素解析手法を用いればよい。次に、分解された単語の中から、視点決定部２０８での視点決定処理に関係する単語を抽出する。具体的には、視点決定部２０８で使用される視点決定規則２０７に含まれる単語を抽出する。
【００１７】
視点決定規則２０７は、単語と視点情報を対応付けた規則である。図５に、本実施形態の視点決定規則２０７が参照する情報の例を示す。本実施形態では、視点決定処理に関係する各単語と、その単語が出現した際に適用すべき視点情報とを、少なくとも記載したものとする。図５において、視点情報とは、視点の方向である。例えば、方向はベクトルで表記され、始点が３次元画像内の原点で、終点が３次元画像内の任意の座標でよい。図５では、終点の座標だけを記載している。
【００１８】
次に単語とは、視点決定処理に関係する単語である。例えば、被写体を示すもの、方向を示すもの、空間的姿勢を示すもの、固有名詞等であり、図５では、同一の行に記載された視点情報と単語とが、対応付けられている。この時、複数の単語と視点情報を対応付けてもよい。なお、実際に２次元画像を作成するには、仮想的な視点位置を決定する必要があるが、そのような視点位置については、後述する画像作成部２０９で算出する。
【００１９】
視点決定部２０８は、単語抽出部２０６で抽出された単語と視点決定規則２０７を用いて、視点の方向を決定する。画像作成部２０９は、画像入力部２０３で取り込まれた３次元画像と、視点決定部２０８で決定された視点方向とを用いて、２次元画像を作成する。
【００２０】
まず、詳細な視点位置を算出する。本実施形態では、あらかじめ任意の画角が設定されており、この画角で見た時に、３次元画像内の被写体全体が、作成する画像サイズに納まる仮想的な視点の位置を求めるものとする。本実施形態においては、３次元画像データ全体を被写体として、視点の位置を算出する。ただし、これに限定するわけではなく、３次元画像データには、被写体に関するメタデータが付与されているものとし、この情報を利用して被写体の領域を特定してもよい。あるいは、そのようなメタデータが付与されていない場合については、３次元画像に対し、画像の解析および認識を行うことで被写体を認識可能であれば、その認識により得た被写体を利用しても構わない。
【００２１】
合成部２１０は、画像作成部２０９で作成された２次元画像と、文章入力部２０４で取り込まれた文章とを合成し、２次元データ４０１を作成する。なお、この２次元データ４０１は、少なくとも２次元ディスプレイで表示できる形式、もしくは紙などにプリントアウトできる形式であればよい。
【００２２】
図６に、本実施形態の２次元データ作成システムの操作画面６０１の一例を示す。本実施形態の操作画面６０１は、操作ポインター６０４、データ表示領域６０２、ファイル選択ボタン６０５、実行ボタン６０６、終了ボタン６０７で構成されている。データ表示領域６０２には、情報記憶部２０１に記憶されている３次元データのアイコン６０３が表示される。ファイル選択ボタン６０５を押し、データ表示領域内の３次元データのアイコン６０３を操作ポインター６０４で選択する。選択された３次元データのアイコン６０３には、太枠が表示される。
【００２３】
図３に、本実施形態の２次元データ作成システムの処理手順を説明するフローチャートを示す。
操作画面６０１で、実行ボタン６０６が押されると処理が開始される。操作画面６０１で、終了ボタン６０７が押されると処理が終了する。
処理が開始されると、Ｓ３０１において、分離部２０２で、操作画面６０１で選択された３次元データのアイコン６０３から３次元画像と文章を検出し、検出結果を判断する。３次元画像と文章が検出された場合、Ｓ３０２へ進む。検出されない場合、処理を終了する。
【００２４】
Ｓ３０２においては、Ｓ３０１で検出された３次元画像と文を、分離部２０２で分離する。本実施形態では、３次元画像内には塔が写っており、文章にはこの塔に関する記載がある。
Ｓ３０３において、分離された文章の内、文抽出部２０５で画像を説明している文を検出し、検出結果を判断する。文が検出された場合、Ｓ３０４へ進む。検出されない場合、処理を終了する。画像の注釈として登録されている、"正面から見た塔""下から見た塔"の２つの文を検出する。
【００２５】
Ｓ３０４においては、検出された文を、文抽出部２０５で抽出する。本実施形態ではＳ３０３で検出した２つの文を抽出する。
Ｓ３０５において、抽出された文を、単語抽出部２０６で単語に分解する。本実施形態では"正面から見た塔"を、"正面"、"から"、"見"、"た"、"塔"と分解する。また、"下から見た塔"を、"下"、"から"、"見"、"た"、"塔"と分解する。
【００２６】
Ｓ３０６においては、分解された単語の内、視点決定規則２０７に含まれる単語を単語抽出部２０６で検出する。検出された場合、Ｓ３０７へ進む。検出されない場合、処理を終了する。２つの単語を検出する。
Ｓ３０７においては、検出された単語を、単語抽出部２０６で抽出する。本実施形態では"正面"、"下"を抽出する。
【００２７】
Ｓ３０８においては、抽出された単語と視点決定規則２０７に基づいて、視点決定部２０８で３次元画像における視点を決定する。本実施形態では、"正面"と"下"の視点位置と視点方向を、図５に基づいて決定する。
【００２８】
Ｓ３０９において、決定された視点に基づいて、画像作成部２０９で３次元画像から２次元画像を作成する。本実施形態では、"正面"から図４の４０２を作成し、"下"から４０３を作成する。
次に、Ｓ３１０において、作成された２次元画像と、分離された文章を合成し、２次元データ４０１を作成する。
【００２９】
図４に、本実施形態の２次元データ４０１を示す。図４の４０２は、３次元画像内の被写体である塔の、正面の視点で作成される２次元画像である。この２次元画像４０２は、作成時の視点情報と対応する単語の近くに配置される。対応する単語は"正面"なので、文章中の"正面"の記載がある位置の上側に配置される。次に、図４の４０３は、同じ塔の下から見た視点で作成される２次元画像である。対応する単語は"下"なので、文章中の"下"の記載がある位置の上側に配置される。
【００３０】
前述のように、本実施形態の画像作成装置を利用することで、３次元画像から説明文に適切な２次元画像を、自動で作成することができる。したがって、ユーザの作業負荷を軽減することができる。
【００３１】
(第２の実施形態)
本実施形態では、第１の実施形態と同様に、本発明の画像作成装置を利用した場合の実施形態を説明する。第１の実施形態との違いは、２次元画像と文章のレイアウトが既定された前提で、２次元データを作成することである。本発明は、この実施形態に限定されるものではない。
【００３２】
図８に、本実施形態の２次元画像と文章の表示位置を定めたレイアウトデータ８０１の例を示す。レイアウトデータ８０１は、画像領域８０２と文章領域８０３に関する情報で構成されている。画像領域８０２は、作成された２次元画像を配置する領域であり、文章領域８０３は、文章を配置する領域である。
【００３３】
図１２に、本実施形態の２次元データ作成システムの機能構成図を示す。第１の実施形態との違いは、画像領域取得部２１１、単語重要度判定部２１２が追加されている点である。詳細な説明は、以降で図９のフローチャートを用いて行う。
【００３４】
図９に、本実施形態の２次元データ作成システムの処理フローチャートを示す。
操作画面６０１で、実行ボタン６０６が押されると処理が開始される。操作画面６０１で、終了ボタン６０７が押されると処理が終了する。
処理が開始されると、Ｓ９０１において、分離部２０２で、操作画面６０１で選択された３次元データから、３次元画像と文章を分離する。
【００３５】
次に、Ｓ９０２において、文抽出部２０５で、分離された文章から画像を説明している文を抽出する。
次に、Ｓ９０３において、抽出された文を、単語抽出部２０６で単語に分解する。
次に、Ｓ９０４において、分解された単語の内、視点決定規則２０７に含まれる単語を単語抽出部２０６で抽出する。
次に、Ｓ９０５において、情報記憶部２０１に記憶されているレイアウトデータから、画像領域取得部２１１でレイアウト情報を取得する。
【００３６】
次に、Ｓ９０６において、Ｓ９０４で抽出された単語の重要度を、単語重要度判定部２１２で判定する。単語の重要度は、少なくとも単語間の重要度の順序付けが可能な情報として求められればよい。例えば、レイアウト情報から取得された画像領域取得結果を用いて、画像領域に近い順に重要な単語と判定する。画像領域が複数あるレイアウトの場合は、画像領域毎に重要度を判定する。
【００３７】
具体的には、図１０を用いて説明する。
まず、文章領域において、単語Ａ、Ｂ、Ｃ、Ｄ、Ｅが抽出されている。次に、画像領域Ａ、画像領域Ｂと単語との距離情報を用いて、近い順に重要度が高いと判定する。よって、画像領域Ａでは、単語Ａの重要度が最も高く、画像領域Ｂでは、単語Ｃの重要度が最も高い。
【００３８】
あるいは、文章領域に出現する単語の頻度が高い順に重要と判定してもよい。具体的には、図１１を用いて説明する。まず、画像領域取得部２１１で画像領域Ｃと画像領域Ｄから必要な画像数が２つであることを求める。次に文章領域では、単語Ｆ、Ｇ、Ｈが抽出されており、これらの単語の重要度を、文章領域全体での出現頻度等を用いて判定する。判定結果が、重要度が高い順に、単語Ｆ、単語Ｈ、単語Ｇであるとすると、必要な画像数が２つであるため、重要度が上位２つの単語Ｆと単語Ｈを視点決定処理の処理対象とする。
【００３９】
他にも、例えば、文章入力部２０４で文字に関する情報が取得できている場合は、色付けされている単語、太文字の単語、フォントが大きい単語、下線が引かれている単語など、強調表現された単語を重要と判定してもよい。ただし、いずれの方法においても、重要度の順位を決定する必要があるので、それぞれの強調方法に応じた順位決定のための基準を設定しておく必要がある。基準の設定方法については限定するものではない。例えば、単語のフォントの大小であれば、フォントサイズによって順位付けを行えばよい。
【００４０】
次に、Ｓ９０７において、単語の重要度判定結果と視点決定規則２０７に基づいて、視点決定部２０８で３次元画像における視点を決定する。視点の決定方法は、最も重要と判定された単語に対応する視点とする。
次に、Ｓ９０８において、決定された視点に基づいて、画像作成部２０９で３次元画像から２次元画像を作成する。
【００４１】
次に、Ｓ９０９において、作成された２次元画像と分離された文章を、レイアウト情報に基づいて合成し、２次元データ４０１を作成する。本実施形態では、画像領域Ａには単語Ａに基づいて作成された画像が配置される。以下同様に、画像領域Ｂは単語Ｃ、画像領域Ｃは単語Ｆ、画像領域Ｄは単語Ｈとなる。また文章は、レイアウト情報の文章領域を参照し、必要であれば分割して配置する。具体的には、段落、行数、文字数等で分割する。
【００４２】
前述のように、本実施形態の画像作成装置は、２次元画像と文章の表示位置を指定して、２次元データ４０１を作成することができる。
【００４３】
（第３の実施形態）
本実施形態では、第１の実施形態と同様に、本発明の画像作成装置を利用した場合の実施形態を説明する。第１の実施形態との違いは、視点決定規則が被写体の抽象的な概念を表す単語で定義されており、文章内の被写体に相当する単語を抽象的な概念に分類した後に、視点決定規則と参照する点にある。
【００４４】
図７に、本実施形態の視点決定規則２０７が参照する情報の例を示す。本実施形態では、建物、橋等の抽象的な概念をあらわす単語と、各単語が出現した際に適用すべき視点情報とを記載したものとする。
【００４５】
図１３に、本実施形態の２次元データ作成システムの処理フローチャートを示す。
操作画面６０１で、実行ボタン６０６が押されると処理が開始される。また、操作画面６０１で、終了ボタン６０７が押されると処理が終了する。
処理が開始されると、まず、Ｓ１３０１において、分離部２０２で、操作画面６０１で選択された３次元データから、３次元画像と文章に関連する情報を分離し、３次元画像と文章を検出し、検出結果を判断する。３次元画像と文章が検出された場合、Ｓ１３０２へ進む。検出されない場合、処理を終了する。
【００４６】
次に、Ｓ１３０２において、検出された情報を、３次元画像関連と文章関連とに分離する。
次に、Ｓ１３０３において、Ｓ１３０２で分離された文章から、文抽出部２０５で画像を説明している文の有無を検出する。文が検出された場合、Ｓ３０４へ進む。検出されない場合、処理を終了する。
次に、Ｓ１３０４において、検出された文を、文抽出部２０５で抽出する。
【００４７】
次に、Ｓ１３０５において、文抽出部２０５で抽出された文を、単語抽出部２０６で単語に分解する。
次に、Ｓ１３０６において、分解された各単語の上位概念を調べる。本実施形態では、分解された単語の一つが「ゴールドブリッジ」であったとして、汎用的な概念辞書を利用して、ゴールドブリッジの上位概念が橋であることを調べる。
【００４８】
次に、Ｓ１３０７において、Ｓ１３０６で調べた上位概念が、視点決定規則２０７に含まれるか否かを調べ、適用可能な視点決定規則を特定する。なお、規則に当てはまる概念が出現しなかった場合は、例えば、被写体の正面など、あらかじめ設定しておいた視点に決定して、Ｓ１３０９へ進む。
【００４９】
次に、Ｓ１３０８において、Ｓ１３０７で特定した視点決定規則２０７に基づいて、視点決定部２０８で３次元画像における視点を決定する。本実施形態では、図７に示した情報から、視点は橋の視点方向となる。
【００５０】
次に、Ｓ１３０９において、決定された視点に基づいて、画像作成部２０９で３次元画像から２次元画像を作成する。
次に、Ｓ１３１０において、Ｓ１３０９で作成された２次元画像と、Ｓ１３０２で分離された文章とを合成し、２次元データ４０１を作成する。
【００５１】
前述のようにして、視点決定規則を、複数の単語を包含する複数の単語をグループ毎に、視点が決まるように定義し、抽出された単語を、前述したグループの何れに属するかを判定する所属グループ判定処理を行う。そして、判定された所属グループと前述した視点決定規則に基づいて、視点を決定する。本発明の画像作成装置は、視点決定規則が抽象的な概念を意味する単語で定義されている場合でも正常に動作する。
【００５２】
（その他の実施形態）
また、本発明は、以下の処理を実行することによっても実現される。即ち、上述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００５３】
１０１  ＣＰＵ、１０２  ＲＯＭ、１０３  ＨＤＤ、１０４  ＲＡＭ、１０５  入力・表示装置、１０６  ＣＰＵバス、２０１  情報記憶部、２０２  分離部、２０３  画像入力部、２０４  文章入力部、２０５  文抽出部、２０６  単語抽出部、２０７  視点決定規則、２０８  視点決定部、２０９  画像作成部、２１０  合成部、２１１  画像領域取得部、２１２  単語重要度判定部
【図１】
2012027561.tif 000003
【図２】
2012027561.tif 000004
【図３】
2012027561.tif 000005
【図４】
2012027561.tif 000006
【図５】
2012027561.tif 000007
【図６】
2012027561.tif 000008
【図７】
2012027561.tif 000009
【図８】
2012027561.tif 000010
【図９】
2012027561.tif 000011
【図１０】
2012027561.tif 000012
【図１１】
2012027561.tif 000013
【図１２】
2012027561.tif 000014
【図１３】
2012027561.tif 000015